Podtech/llm-jp-corpus-v4-ja_patent huggingface dataset:
(57)【要約】【課題】乳幼児が風呂上りにふざけて、体をふかないまま遊びだしてしまったり体を拭くのを嫌がったりして床面をぬらしてしまったり、湯冷めをしてしまったりするのを防ぐために、バスタオルを体に巻きつけ、ボタンを首の後ろで固定することにより、激しい動きをしても体からバスタオルが解け落ちないようにしたものを提供する。【解決手段】バスタオル１の端にボタン２をつけ、首の後ろで固定することによって、体からバスタオルが解け落ちないようにした。また、ボタンをはずせば平面状の普通のバスタオルになるので、梅雨時や冬場の毎日の洗濯にも、バスローブのようなものと比較すると余り負担にならない。【選択図】図１
2006305262.tif 000002
【特許請求の範囲】
【請求項１】
バスタオルをボタンひとつで体に巻きつけ固定し、バスローブのように使用できること。
【発明の詳細な説明】
【技術分野】
【０００１】  本発明は、体を拭くのを嫌がる乳幼児に、バスタオルを体に巻きつけ、動いても走り回っても取れないようにしたものである。
【背景技術】
【０００２】  従来は、ボタン一つで体に巻きつけるバスタオルはなかった。
【発明の開示】
【発明が解決しようとする課題】
【０００３】  風呂上りなどに乳幼児は、体を拭かせなかったり、着替えをしなかったりして、床をぬらしてしまったり、湯冷めをしてしまったりという難点があった。本発明は、この課題を解消するためになされたものである。
【課題を解決するための手段】
【０００４】  バスタオル１の端にスナップボタン２をつけ、タオルを体に巻きつけそれを首の後ろでとめることにより、乳幼児の激しい運動にもタオルが体から解け落ちるのを防ぐことができるようにした。
【発明の効果】
【０００５】  風呂上りの乳幼児の体にさっと巻いてボタンをとめるだけで、体から落ちる水滴による床の汚れや、湯冷めを防げる。しかも、ボタンをはずすと平面状になり、毎日の洗濯、乾燥がしやすくした。
【実施例１】
【０００６】  以下、本発明の実施の形態について説明する。
（イ）．バスタオル１の上部両端に、スナップボタン２をとりつける。
【図面の簡単な説明】
【０００７】
【図１】  本発明の正面図である。
【符号の説明】
【０００８】  １  バスタオル本体
２  スナップボタン
【図１】
2006305262.tif 000003
(57)【要約】【課題】  従来のゴルフ練習用具は、体の軸がズレたのやヘッドアップしたのを、自覚できないという問題があった。これは、自分自身の視線が確認できないためである。【解決手段】  プレーヤの帽子に装着可能なクリップでレーザーポインターを視線に合わせて装着することにより、軸ズレやヘッドアップを自己認識可能にした練習用具である。【選択図】  図１
2006305292.tif 000002
【特許請求の範囲】
【請求項１】
クリップによりレーザーポインターを帽子に装着可能
【発明の詳細な説明】
【技術分野】
【０００１】本発明は、スイングの安定を図ったゴルフに関する。
【背景技術】
【０００２】従来の練習用具には、シャフトを柔く施した物がある。
また、重りの設置しているものもある。
【発明の開示】
【発明が解決しようとする課題】
【０００３】  以上に述べた練習用具では、ヘッドアップや体のスウェーしたのがわからないものであった。【０００４】  本発明は、このような従来が有していた問題を解決しようとするものであり、ヘッドアップや体のスウェーしたのを、本人が認識することを目的とするものである。
【課題を解決するための手段】
【０００５】  そして、本発明は上記目的を達成するために帽子の横にレーザーポインターを取り付けるものである。
【発明の効果】
【０００６】  上述したように本発明の軸振れ防止具は、レーザーポインターで視線を明らかにすることにより、ヘッドアップや体がスウェーしたのを使用者が認識できるものである。【０００７】  また、使用者が付ける方向を変えることにより、右利き左利きの両方に対応できる。
【発明を実施するための最良の形態】
【０００８】  以下、本発明の実施の形態を図１〜図３に基づいて説明する。【０００９】  図においては、１はレーザー照射部であり、２のスイッチでオンオフをセットする。【００１０】  ３はレーザーポインターの角度を調整するネジである。【００１１】  また、４は本体を帽子に固定するクリップである。
【図面の簡単な説明】
【００１２】
【図１】  見取り図
【図２】  側面図
【図３】  正面図
【符号の説明】
１          レーザー照射部
２          電源スイッチ
３          角度調整ネジ
４          本体固定クリップ
【図１】
2006305292.tif 000003
【図２】
2006305292.tif 000004
【図３】
2006305292.tif 000005
(57)【要約】【課題】身長計の用具を、身長を計るだけにしてしまうという不都合を解決すること。【解決手段】柄の側面の一部に、足の形をサイズごとに０．５ｍｍずつ大小に描くことによって、この課題を解決する。【選択図】「なし」【特許請求の範囲】
【請求項１】
柄の側面の一部に、サイズを設けたことを特微とする身長計。
【発明の詳細な説明】
【技術分野】
【０００１】  本発明は、身長計に関するものであり、身長計の柄のプリントに工夫を加えることによって、身長計がさらに、足のサイズ計りまでできるようにしたものです。
【背景技術】
【０００２】  従来から、身長計道具として、柄の形状が、上下に動くようにして計れる身長計が利用されている。この例として、特許文献１や、非特許文献１に開示されているものがある。
【特許文献１】私は存じません。
【非特許文献１】私は存じません。
【発明開示】
【発明が解決しようとする課題】
【０００３】  しかし、従来のような柄の上下する身長計では、それだけで終わってしまい、非常にもったいない。本発明は、このような、身長計を、さらに発展させる事によって、身長だけを計るという不都合を解決することを課題とする。
【課題を解決するための手段】
【０００４】  この課題を解決するための請求項１の発明は、柄の側面の一部に、足形を利用し、足のサイズまで計れる事を特徴とする身長計です。足を乗せる目じるしのマークを、大小描く事と、メモリを０．５ｃｍずつの目じるしを印す事により、身長計で終わらせてしまうという、もったいなさを防止できる。
【発明の効果】
【０００５】  本発明により、身長計を、身長を計るためだけに使用するというもったいなさはおきず、身長を計らない時は、足のサイズだけでも計ることができる。
(57)【要約】      （修正有）【課題】ラーメン等のどんぶりは、どんぶりの底と周縁に指を掛けて持っていた。これは、周縁に口を付けて食べるので、極めて不衛生であった。また、手の小さい子供等は、どんぶりを持つ事が出来なかった。【解決手段】どんぶり（１）の側面に、指掛け（２）を棚形状またはドーナツ形状に複数設ける。左右対称に複数設けることにより、子供には熱い物を片手で持つにのに大変であったが、指掛け（２）を持てば、熱くなく、両手で安定して持ち運びすることができる。【選択図】    図１
2006305244.tif 000002
【特許請求の範囲】
【請求項１】
どんぶり（１）の側面に、指掛け（２）を棚形状に設けた、指掛け付きどんぶり。
【請求項２】
指掛け（２）をドーナツ形状に設けた、請求項１に記載の指掛け付きどんぶり。
【発明の詳細な説明】
【技術分野】
【０００１】  本発明は、ラーメン用どんぶり、ソバ用どんぶり、丼物どんぶり等、どんぶりのアイデアに関するものである。
【背景技術】
【０００２】  現在、ソバ屋および中華飯店やラーメン屋等で、多くのどんぶりが使用されている。
【発明の開示】
【発明が解決しようとする課題】
【０００３】  しかしながら、従来のラーメン等を入れた、どんぶり（１）は、かなり熱いので底（３）と周縁（４）に指を掛けて、持つことになる。だから周縁（４）に指を掛けて、店員は顧客に渡すので、不潔である。つまりこの周縁（４）に顧客は口をつけて食べるので、極めて不衛生である。また、子供等は手が小さいので、底（３）と周縁（４）に指が届かない、また非力の為どんぶりを持てない問題が生じる。さらに店で洗った、どんぶり（１）は、積み重ねて保管されるが、底（３）がどんぶり（１）の内面底に接触して乗せられるので、これもまた不衛生である。
本発明は、このような問題点を改善する為に、なされたものである。
【課題を解決するための手段】
【０００４】  これらの課題を解決する方法として、本発明ではどんぶり（１）の適当なる側面の位置に複数の指掛け（２）を棚形状に、あるいはドーナツ形状に設けて、ここに親指等を掛けて持てるようにした。
【発明の効果】
【０００５】  １．どんぶり（１）の側面に、指掛け（２）があるので、ここに親指等を掛けて、底（３）に中指と薬指を掛けて持てば、熱くない上に、周縁（４）になんら触れることも無く、大変に衛生的になった。
２．また、子供等の小さい手でも、指掛け（２）が出来たので、子供の指間隔で持てるようになった。さらに子供には、従来ラーメン等が入った熱くて、重いとされるものでも、この左右の指掛け（２）を利用するので、両手で持てるから子供も簡単に持てるようになった。
３．洗った、どんぶり（１）はこの指掛け（２）で重ね置き出来るので、底（３）がどんぶり（１）内面底に不接触になり、保管に於いても大変衛生的になった。
【発明を実施するための最良の形態】
【０００６】  以下、本発明の実施の形態について説明する。
図１〜図６のごとく、どんぶり（１）の側面に、指掛け（２）を設ける。この指掛け（２）は、実験の結果では、左右２個にして側面に沿うた長四角形にして、指を掛ける上部は少し凹ませて設けるのが、ベストモードであった。また複数でも良い。
また、さらにこの指掛け（２）を複数のドーナツ形状に設ける。ドーナツ形状はその穴に指を掛ける事が出来るので、より良い使用感が生まれる。
本発明は、以上のような構成であり、極めてシンプルで衛生的であり、非常にどんぶりの扱い勝手が向上し、子供から年寄りまで、広く普及すると思われる。
【図面の簡単な説明】
【０００７】
【図１】  本発明の使用説明図である。
【図２】  本発明の平面図である。
【図３】  本発明の斜視図である。
【図４】  本発明の正面図である。
【図５】  指掛けをドーナツ形状にした本発明の平面図である。
【図６】  指掛けをドーナツ形状にした本発明の使用説明図である。
【符号の説明】
【０００８】  １  どんぶり
２  指掛け
３  底
４  周縁
【図１】
2006305244.tif 000003
【図２】
2006305244.tif 000004
【図３】
2006305244.tif 000005
【図４】
2006305244.tif 000006
【図５】
2006305244.tif 000007
【図６】
2006305244.tif 000008
(57)【要約】【課題】普段は枕として使用し、睡眠中地震が来たとき枕を取り外し、ずきんとしてかぶり落下物等から頭部を保護する防災用具。【解決手段】緩衝性を有するずきん本体を利用時、脱落防止となるように締め付けるゴムやベルト等によりる固定具を設け、前記ずきん本体に下着やタオル等の身の回り品を収納する収納部を設けたものであり任意の枕やタオル等をずきん本体で覆い固定することで枕として利用できるものである事を特徴とする防災ずきん枕。【選択図】  図１
2006305247.tif 000002
【特許請求の範囲】
【請求項１】
緩衝性を有し頭に被るずきん本体に利用時、脱落防止となるように締め付けるゴムやベルト等によりなる固定具を設け、前記ずきん本体に下着やタオル等の身の回り品を収納する収納部を設けたものであり任意の枕やタオル等をずきん本体で覆い固定することで枕として利用できるものである事を特徴とする防災ずきん枕。
【請求項２】
ずきん本体の一部が収納構造となっており任意のタオルを入れることで、緩衝性を得るものである事を特徴とする、請求項１記載の防災ずきん枕。
【発明の詳細な説明】
【技術分野】
【０００１】本発明は、枕がずきんに一体となっていて、寝ている時地震があった場合  とっさに枕をすぐ取り外して使用する防災具である。
【背景技術】
【０００２】従来品は、ずきん本体の頭頂部と後頭部につながった形状となっている。内部には綿が緩衝材として入れられ、固定具には紐が使用されている。
【発明の開示】
【発明が解決しようとする課題】
【０００３】今迄の背景には、すぐに使用するとしても準備していても、いつ来るか解らない地震にだんだんと関心が薄れてしまい、いつの日か部屋の片隅に置かれた状態である。
従って、災害時にすぐ使用できず防災機能を活かせない。
【課題を解決するための手段】
【０００４】緩衝性を有するずきん本体を利用時、脱落防止となるように締め付けるゴムやベルト等よりなる固定具を設け、前記ずきん本体に下着やタオル等の身の回り品を収納する収納部を設けたものであり任意の枕やタオル等をずきん本体で覆い固定することで枕として利用できるものである事を特徴とする。
【発明の効果】
【０００５】睡眠中の地震の時、自分が使用している枕が防災用具に変わりずきんをかぶりすぐ使用できる。また、避難時や避難元で収納部から用意してあった軍手、靴下、タオル、ビニール袋等を使用すれば大事にならず、また  子供  幼児用のずきんの収納部にはそれなりにタオル、オムツ、下着等必要なものを入れておくと便利である。ずきん本体の一部を収納構造にすることにより、ずきん外面の収納部とあわせて収納することで、多くの収納が可能となる。
【発明を実施するための最良の形態】
【０００６】以下、本発明の実施の形態を図１から図５を利用して説明する。
ずきん本体（１）は、頭部に被り使用するものであり、頭頂部と後頭部はつながった形状となっている。内部には綿やクッション等、緩衝材として利用される技術により落下物から衝撃を和らげる緩衝性を有する。左右頭巾材の前面開口辺の下部には、ゴム紐固定具（２）がそれぞれ端部で固定されている。
また、側部頭巾材には、収納部（５）が設けられており、災害時に必要となる、軍手、靴下、タオル、ビニール袋等の必要品が収納できるようになっている。収納部に関しては、両側面に設けられても良いが、好ましくは片面のみとする。また、図２に示すようにずきんは小型枕が設けられている。本発明は以上の構成よりなり、以下その使用方法を説明する。
日常時は図２に示すようにずきん内に小型枕が収納され、ゴム紐固定具（２）により形状が維持されている。この際図４のずきんは全体形状が枕として使用できる大きさ形状となる。また収納部（５）には軍手、靴下、タオル、ビニール袋等の必要品が収納されている。
またずきん本体側面に設けられた個人情報表記部（６）に名前、住所、血液型等が記入出来る。就寝時、図４に示すようにこれを枕として使用するが、この際収納部を下面位置にすることにより、頭部に接触せず違和感を覚えることがない。就寝時地震が発生した場合、ずきん内の小型枕を取り外し、頭に被る。この際、固定具としてゴム紐固定具（２）が利用されているので、その伸縮により頭上から下げるだけで図３に示すように簡単に装着固定が可能となる。以下、避難時における使用方法を説明する。非常時にはずきん内の小型枕を取り外し頭に被る。この際、固定具としてゴム紐固定具が利用されているので、その伸縮により頭上から下げるだけで簡単に装着固定ができる。また、状況に応じて避難時や避難先で収納部（５）から必要品を取り出し、状況により使用する。また、応用例としては、ずきんの一部を収納部にするものも可能である。
この際の構造は、図５に示すように収納部反対面の側面から下面にファスナーを設け、綿袋を入れる。又は必要に応じて綿袋の替わりにタオル等を入れても良い。綿袋の使用の際は、枕としての機能が良い。
またタオルを使用した際は、大きめのタオルを入れておけば非常時に防寒対策として用いることができる。
【図面の簡単な説明】
【０００７】
【図１】ずきんと枕が一対となった全体図
【図２】ずきんから枕をはずした状態の図
【図３】ずきんを使用した状態図
【図４】ずきんを枕とした状態図
【図５】ずきん本体にファスナーを付けた収納図
【符号の説明】
【０００８】１  ずきん、
２  ゴムひも固定具、
３  ホック、
４  枕、
５  収納部、
６  個人情報表記部、
７  ファスナー、
８  タオル
【図１】
2006305247.tif 000003
【図２】
2006305247.tif 000004
【図３】
2006305247.tif 000005
【図４】
2006305247.tif 000006
【図５】
2006305247.tif 000007
(57)【要約】【課題】指圧棒二本を設けて傾斜角の調節  踏み板を利用した足の健康器具【解決手段】ベース板手前左右に一対の支持板を設け、支持板間に足指で挟める径よりなる指圧棒を設け、ベース板に対して足首のストレッチに適した角度に足踏み板を設けたものであり、前記指圧棒や足踏み板に足を乗せた状態で足裏のツボを押圧可能となる位置にあるものである事を特徴とする足の健康器具。【選択図】  図１
2006305249.tif 000002
【特許請求の範囲】
【請求項１】
ベース板手前左右に一対の支持板を設け、支持板間に足指で挟める径よりなる指圧棒を設け、ベース板に対して足首のストレッチに適した角度に足踏み板を設けたものであり、足踏み板に足を乗せた状態でアキレス腱を伸ばしたり、指先運動が出来る事を特徴とする足の健康器具。
【請求項２】
ベース板手前左右に一対の支持板を設け、支持板間に足の指で挟める径よりなる指圧棒と第二指圧棒を設け、指圧棒と第二指圧棒の上に足を乗せた状態で踵の任意のツボを押圧可能となり、足裏のツボの刺激を行う事が出来るものであることを特徴とする足の健康器具。
【請求項３】
足踏み板の角度調整を行う角度調整機構を備えたものであることを特徴とする請求項１又は２記載の足の健康器具。
【発明の詳細な説明】
【技術分野】
【０００１】本発明は、長時間椅子に座りながら足のストレッチ、ツボ刺激、指先運動をすることで手軽に血流が良くなる足の健康器具に関する。
【背景技術】
【０００２】長時間椅子に座って仕事をしている人が多く、血流も悪くなり内臓機能の働きも低下してしまう。椅子に座っていても足のストレッチ、ツボ刺激や指運動が出来ず、足の冷えやむくみ等の改善することが出来ない状態であった。これを解決する健康器具として、従来竹ふみや健康サンダルがあった。
【発明の開示】
【発明が解決しようとする課題】
【０００３】従来品の足の健康器具として、竹ふみやゴルフボール転がし等の足のツボを刺激しながらの運動することが出来たが、長時間椅子に座ったままの状態で固定された物でアキレス腱をのばしたり、足のストレッチが出来る物がなかった。
【課題を解決するための手段】
【０００４】ベース板手前左右に一対の支持板を設け、支持板間に足指で挟める径よりなる指圧棒を設け、ベース板に対して足首のストレッチに適した角度に足踏み板を設けたものであり、前記指圧棒は足を乗せた状態で踵の任意のツボを押圧可能となり、足裏のツボを刺激できる位置にあるものである。角度調整した踏み板に足を乗せた状態では、アキレス腱をのばしたり、指先運動の出来ることが特徴とする足の健康器具である。
【発明の効果】
【０００５】本発明によって踏み板に足を乗せた状態でつま先を上げて、足首のストレッチに適したものであり、アキレス腱を伸ばし指先の運動ができ、第一指圧棒と第二指圧棒の上に足を乗せ、足裏のツボを刺激する事も出来る。また踵のツボ押しも可能となる。
指圧棒に足の指をかけて、ゆっくり棒をつかんだり、土踏まずにあてて指及び足先を下の方に折り曲げることで身体のゆがみを治し、便秘、内臓機能も良くなり消化器、胆石、腸ポリープ、ガン、息切れ、ボケ防止になり寝たきりを防ぐとともに元気生活をすごせるエコノミークラス症候群予防や高齢者のリハビリ等にも良い。
足の当たる所は肌に優しい木製なので温かく折りたたみが出来て、持ち運びにも便利で、長時間座っている人には特に良い。
飛行機会社が、エコノミークラスに取り付けるには、前の座席の横に取り付ける事も可能である。
踏み板の角度調整出来るものにおいては個人差に合わせた角度でのストレッチが可能となる。
【発明を実施するための最良の形態】
【０００６】以下、本発明の実施の形態について説明する。
本発明は、ベース板（１）と一対の支持板（２）と、踏み板（５）と、第一指圧棒（３）と第二指圧棒（４）と、踏み板（５）の角度調整する角度調整機構（１０）とより構成されている。ベース体は、長方形の板体である。ベース板（１）の前左右には支持板（２）がそれぞれ立設されている。支持板（２）には対向する位置に支持棒用の軸穴（１１）と踏み板取付用の踏み板軸穴（１３）がそれぞれに設けられている。この際、第一指圧棒用の軸穴（１１）と第二指圧棒用の軸穴（１１）は平行となる位置に設けられている。また、踏み板軸穴（１３）は軸穴（１１）よりも低い位置に設けられている。第一指圧棒（３）と第二指圧棒（４）は細長い円柱状のものであり、その径は足の指を折り曲げて指と指の付け根位置で挟める大きさのものである。これが左右の支持板間に配置されるように支持板（２）に端部で固定される。踏み板（５）は、長方形の板状となっており、利用者が足を乗せられる大きさとなっている。踏み板（５）の手前には貫通した貫通孔が設けられており、この貫通孔を前記支持板（２）の踏み板軸穴（１３）間に配置し、踏み板軸（１２）を支持軸及び踏み板（５）を貫通させて支持部で固定する。これによりこの踏み板軸（１２）を介して回動出来るようになっている。また、踏み板（５）の中間から後方における任意位置の左右側面にはネジ受け部がそれぞれ設けられている。
踏み板（５）の中間から公報にかけて底面には踏み板軸（１２）と平行になるように複数の位置調節溝（１０）が間隔を空けて設けられている。
以下、角度調節機構について説明する。角度調節機構は、スットパー軸（７）と、左右の側部連結体（６）、左右側部連結体に使用されるネジ（８）とで構成される。スットパー軸（７）は前記踏み板（５）の位置調節溝（１０）に嵌るものである。このストッパー軸（７）の左右端にはそれぞれ細長い板状の側部連結体（６）の上部に固定されている。左右側部連結体の下部にはネジ用の穴（９）が設けられており、ネジ（８）を利用して前記踏み板（５）のネジ受け部に回動可能となるように取り付けられる。
本発明は、以上の構成よりなる。また、図６は健康器具をたたんだ状態である。これを利用するときは、支持板間に固定されている両支持板棒図５に足指を狭める径よりなり、足裏のツボを刺激する事が出来る。図４の踏み板（５）に足を乗せる事で足首のストレッチ、アキレス腱伸ばしや、指先の運動が出来る足の健康器具である。
【図面の簡単な説明】
【０００７】
【図１】本発明の斜視図
【図２】踏み板固定具
【図３】側部連結体ストッパー軸の分解図
【図４】踏み板に足を乗せた使用図
【図５】指圧棒に指を乗せた状態の使用図
【図６】健康器具をたたんだ状態
【符号の説明】
【０００８】  １  ベース、
２  支持板、
３  第一指圧棒、
４  第二指圧棒、
５  踏み板、
６  側部連結体、
７  スットパー軸、
８  ネジ、
９  ネジ穴、
１０  位置調整溝、
１１  軸穴、
１２  踏み板軸、
１３  踏み板軸穴
【図１】
2006305249.tif 000003
【図２】
2006305249.tif 000004
【図３】
2006305249.tif 000005
【図４】
2006305249.tif 000006
【図５】
2006305249.tif 000007
【図６】
2006305249.tif 000008
(57)【要約】【課題】  十字布地にマジックテープを装着させた、枕の高さと硬さを調整できる枕カバーを提供する。【解決手段】  十字布地の、上下、左右、対称で一方は布地の表面に、一方は布地の裏面に調整用マジックテープを等間隔に装着したことを特徴とする枕の高さと硬さを調整できる枕カバー。【選択図】  図１
2006305250.tif 000002
【特許請求の範囲】
【請求項１】
十字布地の、上下、左右、対称で一方は布地の表面に、一方は布地の裏面に調整用マジックテープを等間隔に装着したことを特徴とする枕の高さと硬さを調整できる枕カバー。
【発明の詳細な説明】
【技術分野】
【０００１】  本発明は、十字布地の、上下、左右、対称で一方は布地の表面に、一方は布地の裏面に調整用マジックテープを等間隔に装着したことを特徴とする枕の高さと硬さを調整できる枕カバーに関するものである。
【背景技術】
【０００２】  従来、枕に布地を巻きつけて紐でとめる枕カバーがあった。
【発明の開示】
【発明が解決しようとする課題】
【０００３】  そのために、次のような欠点があった。
（イ）枕に布地を巻きつけて紐でとめるため、頭部の重みが加わると、枕内部の綿等が左右に分散し枕の高さ等が一定を保てなかった。
本発明は、これらの問題点を解決するためになされたものである。
【課題を解決しようとする手段】
【０００４】  十字布地の、上下、左右、対称で一方は布地の表面に、一方は布地の裏面に調整用マジックテープを等間隔に装着したことを特徴とする枕の高さと硬さを調整できる枕カバーである。
【発明の効果】
【０００５】  本発明を使用することによって、枕の高さや硬さが個別に調整できるため、睡眠時の頚部周辺の筋肉緊張を緩和し、個々の快適な安眠、快眠を促す効果がある。
【発明を実施するための最良の形態】
【０００６】以下、本発明の実施例について説明する。
（イ）十字布地（１）の上（６）下（７）対称で一方は布地の表面にマジックテープ（２）を等間隔に設け、一方は布地の裏面にマジックテープ（２）を等間隔に設ける。
（ロ）十字布地（１）の左（８）右（９）対称で一方は布地の表面にマジックテープ（２）を等間隔に設け、一方は布地の裏面にマジックテープ（２）を等間隔に設ける。
本発明は以上のような構造で、これを使用する時は、図１に示すように十字布地（１）を広げ、図２に示すように使用する枕（３）を置き、図３、図４に示すように枕（３）に左（８）右（９）の十字布地（１）をマジックテープ（２）で取り付け、その取り付け位置で枕（３）の硬さを調整し、図５、図６に示すように枕（３）に上（６）下（７）の十字布地（１）をマジックテープ（２）で取り付け、その取り付け位置で枕（３）の高さを調整して使用する、これにより上（６）下（７）、左（８）右（９）の十字布地（１）が枕（３）を包み込むようになるため、頭部の重みにより枕（３）内部の綿等が四方へ分散することを防げるため、個々の快適な枕の高さや硬さを調整できる。
なお図６は取り付けを終了した時の裏面の状態を示した図である。
また図９に示すように、マジックテープ（２）の代わりに、ホック（５）で取り付け位置を調整することでも、本発明の効果は変わらない。
【図面の簡単な説明】
【図１】  本発明の斜視図
【図２】  本発明の使用状態を示す斜視図
【図３】  本発明の使用状態を示す斜視図
【図４】  本発明の使用状態を示す斜視図
【図５】  本発明の使用状態を示す斜視図
【図６】  本発明の使用状態を示す斜視図
【図７】  本発明の使用状態を示す斜視図
【図８】  本発明の図６のＡ−Ａを示す断面図
【図９】  本発明の他の実施例を示す斜視図
【符号の説明】
１  十字布地
２  マジックテープ
３  枕
４  布地の表を示す柄
５  ホック
６  上
７  下
８  左
９  右
【図１】
2006305250.tif 000003
【図２】
2006305250.tif 000004
【図３】
2006305250.tif 000005
【図４】
2006305250.tif 000006
【図５】
2006305250.tif 000007
【図６】
2006305250.tif 000008
【図７】
2006305250.tif 000009
【図８】
2006305250.tif 000010
【図９】
2006305250.tif 000011
(57)【要約】【課題】  本発明は、マスク本体を横長に成形し、両端を幅広に縫合し、ゴム紐を遊挿した紐通し部を介して、折り返し部を設け、この折り返し部の内面に粘着剤を貼着したことが特徴で、マスクを横長にして各自の顔のサイズに調整できるように工夫した、サイズ調整可能なマスクを提供する。【解決手段】  マスク本体を横長に成形し、両端を幅広に縫合し、ゴム紐を遊挿した紐通し部を介して、折り返し部を設け、この折り返し部内面に粘着剤を貼着したことを特徴とする。【選択図】  図１
2006305284.tif 000002
【特許請求の範囲】
【請求項１】
マスク本体を横長に成形し、両端を幅広に縫合し、ゴム紐を遊挿した紐通し部を介して、折り返し部を設け、この折り返し部内面に粘着剤を貼着したことを特徴とする、サイズ調整可能なマスク。
【発明の詳細な説明】
【技術分野】
【０００１】  本発明は、マスク本体を横長に成形し、両端を幅広に縫合し、ゴム紐を遊挿した紐通し部を介して、折り返し部を設け、この折り返し部の内面に粘着剤を貼着したことが特徴で、マスクを横長にして各自の顔のサイズに調整できるように工夫した、サイズ調整可能なマスクに関するものである。
【背景技術】
【０００２】  従来、マスクのサイズは決まっており、使用する人の顔より大きすぎたり、小さすぎたりした。
また、長時間使用していると、ゴム紐の抵抗で耳が痛くなりゴム紐の跡や縫目の跡が顔に残ることがあった。
【発明の開示】
【発明が解決しようとする課題】
【０００３】  そのために、次のような問題点があった。
（イ）顔とマスクのバランスが悪く見た目が悪い。
（ロ）長時間使用していると、ゴム紐の抵抗で耳が痛くなる。
（ハ）ゴム紐の跡や縫目の跡が顔に残る。
（ニ）保温性が限られる。
本発明はこれらの問題点を解決するためになされたものである。
【課題を解決するための手段】
【０００４】  マスク本体（１）の両端を長くし、ゴム紐（２）、ゴム紐（２）を通す紐通し部（３）（３）を約２ｃｍ幅に縫合し、その先に折り返し部（４）、折り返し部（４）を設ける。
この折り返し部（４）、折り返し部（４）の内面に粘着テープ（６）、粘着テープ（６）を貼着する。
ゴム紐（２）、ゴム紐（２）の位置を紐通し部（３）、紐通し部（３）で調整したのち、折り返し部（４）、折り返し部（４）を縫目（５）、縫目（５）の位置で裏に折り、粘着テープで固定する。
以上を特徴とするサイズ調整可能マスクである。
【発明の効果】
【０００５】  本発明を使用することによって、自分の顔に合ったサイズで使用でき、耳元までくるマスクによりゴム紐の抵抗が少なく、長時間使用しても耳が痛くなることはない。
しかもゴム紐の跡や縫目の跡が顔に残ることもなく、またほほ全体をおおうことができるので、保温性も高く、冬の夜など就寝中でも快適に使用できる。
【発明を実施するための最良の形態】
【０００６】  以下、本発明の実施の形態を説明する。
マスク本体（１）の両端を長くしゴム紐（２）、ゴム紐（２）を通す紐通し部（３）、紐通し部（３）を約２ｃｍ幅に縫合し、その先に折り返し部（４）、折り返し部（４）を設け粘着テープ（６）、粘着テープ（６）を貼着する。
本発明はこのような構造よりなる。
本発明を使用するときはゴム紐（２）、ゴム紐（２）の位置を紐通し部（３）、（３）で調整したのち、折り返し部（４）、折り返し部（４）を縫目（５）、縫目（５）の位置で裏に折り粘着テープ（６）、粘着テープ（６）で固定する。
以上を特徴とする、サイズ調整可能マスクである。
【図面の簡単な説明】
【０００７】
【図１】  本発明の斜視図である。
【図２】  本発明の斜視図である。
【符号の設明】
【０００８】１  本体
２  ゴム紐
３  紐通し部
４  折り返し部
５  縫目
６  粘着テープ
【図１】
2006305284.tif 000003
【図２】
2006305284.tif 000004
(57)【要約】【課題】  本発明は、結婚指輪を装着する薬指の特徴に基づき、手に馴染んで着用し易い結婚指輪を産み出す為の、構造的な発案であり、その構造性を結婚指輪ならではの永遠性と精神性とに融合させることである。【解決手段】以下、請求項目順に説明する。（１）立面が半円状のパ−ツＡとＡ’２個を、対称に向き合わて近づけ、前後上下にずらしたり回転したりして合体させ、上下の区別のない指輪の輪を造る。（２）立面が円状のパ−ツＢとＢ’２個を、対称に向き合わて近づけ、上下左右にずらしたり回転したりして合体させ、上下の区別のない指輪の輪を造る。  本発明は以上の構成による、手に馴染んで装着し易く、結婚指輪ならではの特性を備えた指輪である。【選択図】図１
2006305283.tif 000002
【特許請求の範囲】
【請求項１】
立面が半円状のパ−ツＡとＡ’２個を、対称に向き合わせて近づけ、前後上下に適度にずらしたり回転させて合体し、指輪の輪を造ったと思われる構成の、手に馴染んで装着し易く、結婚指輪ならではの特性を備えた指輪。
【請求項２】
立面が円状のパ−ツＢとＢ’２個を、対称に向き合わせて近づけ、上下左右に適度にずらしたり回転させて合体し、指輪の輪を造ったと思われる構成の、手に馴染んで装着し易く、結婚指輪ならではの特性を備えた指輪。
【発明の詳細な説明】
【技術分野】
【０００１】  本発明は、結婚指輪を装着する薬指の特徴に基づき、手に馴染んで装着し易く、結婚指輪ならではの特性を備えた指輪を産み出す為の、構造的な発案である。
【背景技術】
【０００２】  結婚指輪は、ある職業を除いては、既婚者の左薬指に常時装着されるという点で、他の指輪とは大いに違っており、とぎれなく廻るという永遠性と、内側に宝石をはめ込むなどして守護的な精神性が加味されている。
【発明の開示】
【発明が解決しようとする課題】
【０００３】  従来の輪になっている指輪を左薬指に装着すると、装着に不都合を来す人々が多い。その理由は下記の薬指の特徴アからウにある。
ア、薬指の付け根は、誰もが中指側から小指側へ下がっているが、下がり具合の大きい人は指輪は斜めに傾き、指と輪の間に空間ができてしまう。
イ、指を広げた時に、水かきの様な付け根部分が深い人は、指輪装着で指が短くみえる。
ウ、第二関節が太い人は指輪が廻り易く、指の付け根の方が太い人は指輪が埋もれ易い。
本発明の課題は、人間の肉体的特徴ア、イ、ウを、結婚指輪の構造的アイディアで解決しようとし、その構造性を結婚指輪ならではの永遠性と精神性とに融合させることである。
【課題を解決するための手段】
【０００４】ア、立面が半円状のパ−ツＡとＡ’２個を、対称に向き合わて近づけ、前後上下にずらしたり回転したりして合体させた結果造られたと思える、小指側が下がっている薬指に馴染んで装着し易く、結婚指輪ならではの特性を備えた指輪。
イ、立面が円状のパ−ツＢとＢ’２個を、対称に向き合わて近づけ、上下左右にずらしたり回転したりして合体させた結果造られたと思える、小指側が下がっている薬指に馴染んで装着し易く、結婚指輪ならではの特性を備えた指輪。
本発明は以上の構成による、手に馴染んで装着し易く、結婚指輪ならではの特性を備えた指輪である。
【発明の効果】
【０００５】ア、装着する人の手が長くのびのびとみえる。
イ、手に馴染み、違和感が無く装着していられる。
ウ、”夫婦で協力し合おう”という結婚指輪に求められる精神性が強く発露する。
【発明を実施するための最良の形態】
【０００６】ア、立面が半円状のパ−ツＡとＡ’２個を、対称に向き合わせた後近づけ、２個を前と後にずらして合体することで小指側の下がりに密着し、上下にずれているかの様に合体することで指輪の厚みを変えることが出来、関節が太い人と付け根が太い人に対応できる。片方を回転して合体することでもパ−ツＡのデザインで小指側の下がりに対応でき、指輪の意匠に幅が出来る。
この、前後・上下・回転のずらし方と、パ−ツＡのデザインとの組み合わせにより、人々の薬指の特徴に対応し結婚指輪ならではの特性を備えた指輪は多数できる。
イ、立面が円状のパ−ツＢとＢ’２個を、対称に向かい合わせた後近づけ、２個を上下にずらしたり左右にずらしたり、片方を回転したりして合体した結果できた指輪でパ−ツＢのデザイン次第で、人々の薬指の特徴に対応できる。
以上の本発明ア、イの構成からなる指輪は、上部正面と下部正面の意匠が同じになり、とぎれなく廻る永遠性を示し、またＡとＡ’の合体、ＢとＢ’の合体は、共に”男女で支え合おう”との精神性を視覚から感じさせるので、結婚指輪ならではの特性を備えた指輪となる。
【図面の簡単な説明】
【０００７】
【図１】請求項目１の結婚指輪の例を示した斜視図である。
【図２】請求項目１の結婚指輪の例を示した斜視図である。
【図３】請求項目２の結婚指輪の例を示した斜視図である。
【符号の説明】
【０００８】  Ａ−半円状のパ−ツ
Ａ’−Ａと同じもうひとつのパ−ツ
Ｂ−円状のパ−ツ
Ｂ’−Ｂと同じもうひとつのパ−ツ
【図１】
2006305283.tif 000003
【図２】
2006305283.tif 000004
【図３】
2006305283.tif 000005
(57)【要約】【課題】  従来のマスクは、マスクを掛けた状態では鼻の横に大きく空間が開いており、塵を吸い込み易く、又、作業中に掛けていると吐息で眼鏡をかけている人は眼鏡が曇ってしまい、視界がさえぎられて作業しにくかった。【解決手段】  手で押して容易に曲がる薄いアルミ板を鼻部に固定することにより、鼻部横の空間を塞ぎ、防塵効果を高め、眼鏡の曇りを押さえることが出来た。【選択図】  図１
2006305279.tif 000002
【特許請求の範囲】
【請求項１】
人間の鼻が当たる部分に横方向に塑性変形の可能な帯状材を装着した布製マスク。（この場合、マスクが鼻に当たる部分が手で簡単に曲がる薄いアルミ板）
【発明の詳細な説明】
【技術分野】
【０００１】  本発明は今迄、販売されていたマスクの主に防塵効果の上昇を図ったものである。
【背景技術】
【０００２】  従来の市販マスクでは鼻の横の部分が大きく開いていた。【０００３】  以下、図１により従来のマスクについて説明する。図においてマスクの鼻に接触する部分はゴムでしかなかった。【０００４】  ２は、軽く手で、押さえると鼻の部分にフィットする、薄いアルミ板である。
【発明の開示】
【発明が解決しようとする課題】
【０００５】  以上に述べた従来のマスクでは鼻の横の部分が広く空間があるため、塵を吸いやすく健康を害していた。また、その空間から出る吐息でメガネが曇って見えにくくなっていた。
【課題を解決するための手段】
【０００６】  そして本発明は、上記の内容を解決するために、マスクの鼻に当たる部分を手で軽く押えると鼻部にフィットする両横に小さく穴（マスクを固定するための）が開いた、薄く細長いアルミ板をマスクに、縫い付ける。
そして、それを手で曲げて使用する。
【発明の効果】
【０００７】  本発明は、従来の構成が有していた問題を解決しようとするものであり、防塵  効果を高め、より身体の健康を保持し、そして作業をしやすくするものである。
【実施例】  マスクのゴムひもを耳に掛け、その後、マスクに付いているアルミ板を鼻部に、ぴったりと付く様に上から押さえて使用する。
【図面の簡単な説明】
【０００７】
【図１】  完成前の布製マスクを内側から見た平面図である。
【図２】  完成後の布製マスクを内側から見た平面図である。
【図３】  人間の頭部を上から見た図である。
【符号の説明】
【０００８】１  マスク本体
２  指で簡単に曲がる薄いアルミ板
３  耳に掛けるゴムひも
４  アルミ板とマスクを、縫い付ける為の穴に糸を、縫い付けた図
５  人間の頭頂
６  耳
７  マスクの布
８  指で簡単に曲がる薄いアルミ板
９  鼻
ａ  ａ線で手前に折り曲げ、それを、くっ付けて完成品とする。
【図１】
2006305279.tif 000003
【図２】
2006305279.tif 000004
【図３】
2006305279.tif 000005
(57)【要約】【課題】衣服のボタン類のボタン穴に入れる時の手間や、ファスナー類の他の衣類の巻き込み等又は、マジックテープ類の洗濯時の毛玉や糸くずの吸着等の諸問題があった。【解決手段】磁粉を混入したゴム材等１を、２、のように布類又は、ビニール等で覆い磁石内蔵状態にし、ボタン類３、留具類４、ファスナー類５、のように通常の位置に合わせるだけで自然に吸着し、それぞれに応用できるようにしたものであるが、その相対する側には必ず、軽薄な金属板又は、金属片等が装着されているものとする。【選択図】  図４
2006305272.tif 000002
【特許請求の範囲】
【請求項１】
磁粉を混入させたゴム材等を、布類又はビニール等で覆い、相対する側の金属性の面に自然に吸着できるようにして、衣服のボタン類やファスナー又は、シューズ類の留具類に応用できるようにした、脱着用マグネットテープ。
【発明の詳細な説明】
【技術分野】
【０００１】本発明は、ゴム材等に磁粉を混入し、それらを布類又は、ビニール等で覆い相対する側の金属性の面に自然に吸着できるようにして、衣服のボタン類やファスナー又は、シューズ等の留具類に応用できるようにしたものである。
【背景技術】
【０００２】従来、留具類にはマジックテープやファスナー又はボタン類等があった。
【発明の開示】
【発明が解決しようとする課題】
【０００３】衣服のボタン類をボタン穴に入れる手間や、ファスナー類は下着等を巻き込んだり又、マジックテープは洗濯時に糸くずや毛玉の吸着等の問題があった。
【課題を解決する為の手段】
【０００４】本発明は、それらの課題を解決する為に発案されたもので、それを図面について説明すれば、磁粉を混入したゴム材等１、を布類又は、ビニール等２、で覆ってボタン３、留具類４、ファスナー５、のように通常の位置に合わせるだけで、自然に吸着できるようにしたものであるが、その相対する面には、必ず軽薄な金属板又は、金属片等が装着されているものとする。
【発明の効果】
【０００５】このようにすれば、衣服のボタンをボタン穴に入れる手間やファスナーの衣類の巻き込み又は、マジックテープの毛玉や糸くず等の吸着の問題を一挙に解決し、脱着も簡単で又、消音効果も期待できるものである。
【実施例】
【０００６】この脱着用マグネットテープを日常、ボタン類やファスナー又は、マジックテープ類を使用する時の通常の位置に合わせるだけで、自然に吸着する。
【図面の簡単な説明】
【０００７】
【図１】  ボタン類の脱着用マグネットテープの断面図である。
【図２】  ファスナー類の脱着用マグネットテープの断面図である。
【図３】  ボタン類の脱着用マグネットテープの装着図である。
【図４】  ファスナー類の脱着用マグネットテープの装着図である。
【図５】  シューズ類の脱着用マグネットテープの装着図である。
【図６】  バッグ類の脱着用マグネットテープの装着図である。
【符号の説明】
【０００８】  １、磁粉を混入させたゴム材等
２、布類又は、ビニール等
３、衣服のボタン類の例
４、シューズ類の例
５、ファスナー類の例
６、バッグ類の例
【図１】
2006305272.tif 000003
【図２】
2006305272.tif 000004
【図３】
2006305272.tif 000005
【図４】
2006305272.tif 000006
【図５】
2006305272.tif 000007
【図６】
2006305272.tif 000008
(57)【要約】【課題】従来の救急絆創膏は、指先の傷などに使用するとき密着よく貼れないため、切れ目を入れた救急絆創膏を提供する。【解決手段】救急絆創膏（１）の直線側のはしに数本の切れ目（３）を入れたことを特徴とする。【選択図】図１
2006305278.tif 000002
【特許請求の範囲】
【請求項１】
救急絆創膏のはしに切れ目を入れた救急絆創膏。
【発明の詳細な説明】
【技術分野】
【０００１】  本発明は、救急絆創膏のはしに切れ目をいれた救急絆創膏に関するものである。
【背景技術】
【０００２】  従来、救急絆創膏には切れ目は入っていなかった。
【発明の開示】
【発明が解決しようとする課題】
【０００３】  指先の傷などを保護するために、平面状の救急絆創膏で球面状の指先に貼ろうとするとつぎのような問題点があった。
（イ）貼られない余分な部分が発生し、それが突起状になり邪魔になってしまう。
（ロ）その突起状の貼り合わなかった粘着部分にゴミなどが付着し、しだいに指本体に貼られた部分におよび、粘着性を弱めてしまいはがれやすくなってしまう。
本発明は、以上のような問題点を解決するためになされたものである。
【課題を解決するための手段】
【０００４】  救急絆創膏のはしに切れ目を入れる。
以上の構成よりなる救急絆創膏である。
【発明の効果】
【０００５】  救急絆創膏に切れ目が入っているので、密着よく貼ることができ、はがれにくくなった。
【発明を実施するための最良の形態】
【０００６】  以下、本発明の実施例について説明する。
救急絆創膏（１）の直線側のはしに数本の切れ目（３）を入れる。
本発明は、以上の構造でこれを使用するときは、救急絆創膏（１）の保護パツド（２）部分を指先の患部にあて、その両端を指の根元方向にし、切れ目（３）ごと折り重ねるようにに貼る。
【図面の簡単な説明】
【０００７】
【図１】  本発明の斜視図である。
【符号の説明】
【０００８】  １  救急絆創膏
２  保護パッド
３  切れ目
【図１】
2006305278.tif 000003
(57)【要約】【概要】【課題】  従来、多孔質溶岩石は、キーホルダーなどアクセサリーの宝石類部分に利用が無い。原因として、多孔質溶岩石は強度が低く衝撃に弱い。また、表面に光沢が無い。また、表面に鋭い凹凸が多く、人体などに擦り傷等の害を与える。これらの点からアクセサリーに利用するには問題点がある。【解決手段】  天然、または、整形した多孔質溶岩石に樹脂塗膜加工する。これにより、多孔質溶岩石の表面多孔部分に樹脂を浸透させ、塗膜された樹脂層を強固なものとし、多孔質溶岩石の強度を高める。また、多孔質溶岩石表面に光沢を与える。また、多孔質溶岩石表面の凹凸を減少させ、人体などへの擦り傷等の害を防止する。これらにより、多孔質溶岩石をアクセサリーとして利用可能にする。【選択図】  図１
2006305280.tif 000002
【特許請求の範囲】
【請求項１】
樹脂塗膜加工した天然または整形多孔質溶岩石を用いたアクセサリー
【発明の詳細な説明】
【技術分野】
【０００１】  本発明は、キーホルダーやブレスレットなどアクセサリーの宝石類部分に、樹脂塗膜加工した多孔質溶岩石を用いたアクセサリーに関する。
【背景技術】
【０００２】  従来、多孔質溶岩石の利用法には、庭石、土木用砂利、植木鉢などがある。また、調理用プレートとして利用されている（特許文献１。）。しかし、アクセサリーとしての利用は認知されていない。【０００３】
【特許文献１】特許公開２００４−２４３０７３号公報
【発明の開示】
【発明が解決しようとする課題】
【０００４】  多孔質溶岩石は強度が低く衝撃に弱い、表面に光沢が無い、表面に鋭い凹凸が多く、人体などに擦り傷等の害を与えるといった点から、アクセサリーに利用するには、問題点がある。【０００５】  本発明は、このような問題点を有する多孔質溶岩石を、アクセサリー材としての利用を現実にすることを目的とするものである
【課題を解決するための手段】
【０００６】  天然、または、整形した多孔質溶岩石に樹脂塗膜加工する。これにより、多孔質溶岩石の表面多孔部分に樹脂を浸透させ、塗膜された樹脂層を強固なものとし、多孔質溶岩石の強度を高める。また、多孔質溶岩石表面に光沢を与える。また、多孔質溶岩石表面の凹凸を減少させ、人体などへの擦り傷等の害を防止する。樹脂の塗膜量を変化させることにより、樹脂塗膜された多孔質溶岩石表面の凹凸の形状は、調整可能であり、多孔質溶岩石を利用するアクセサリーの利用形態により塗膜量を調整できる。これらにより、多孔質溶岩石をアクセサリーとして利用可能とし、上記課題を解決する。
【発明の効果】
【０００７】  本発明は、アクセサリーとして利用価値の無かった多孔質溶岩石を、樹脂塗膜加工することによりアクセサリーとして利用を可能とし、また、多孔質溶岩石の利用価値を高め、火山観光地域での大きな土産、物産、産業となる。
【発明を実施するための最良の形態】
【０００８】  本発明は、図１に示すように、多孔質溶岩石１に樹脂塗膜２の加工をした物である。溶岩石表面多孔質部分にも、樹脂が浸透している。また、樹脂の塗膜量を変化させることにより、樹脂塗膜加工した多孔質溶岩石表面の凹凸の形状は、調整可能である。
【実施例】
【０００９】  図２は、樹脂塗膜加工した多孔質溶岩石を利用したキーホルダーである。多孔質溶岩石１に樹脂塗膜２の加工をし、キーホルダー金具３を取り付けた物である。アクセサリーの内、携帯電話ストラップ、根付、ネックレス、ブレスレット、ピアス、イヤリング等も上記と同様である。
【図面の簡単な説明】
【００１０】
【図１】樹脂塗膜加工した多孔質溶岩石断面
【図２】樹脂塗膜加工した多孔質溶岩石を利用したキーホルダー
【符号の説明】
１  多孔質溶岩石、２  塗膜樹脂、３  キーホルダー金具
【図１】
2006305280.tif 000003
【図２】
2006305280.tif 000004
(57)【要約】【課題】  足置き板に前後移動板を装着させた、足のむくみ改善機能付き足置き台を提供する。【解決手段】  足置き板に板固定軸を４本設け、その足置き板に装着固定バンドを左右に設け、板固定軸の位置に合わせた高さ調整板と前後移動板を設け、前後移動板に滑り止めゴムを装着したことを特徴とする足のむくみ改善機能付き足置き台。【選択図】  図１
2006305251.tif 000002
【特許請求の範囲】
【請求項１】
足置き板に板固定軸を４本設け、その足置き板に装着固定バンドを左右に設け、板固定軸の位置に合わせた高さ調整板と前後移動板を設け、前後移動板に滑り止めゴムを装着したことを特徴とする足のむくみ改善機能付き足置き台。
【発明の詳細な説明】
【技術分野】
【０００１】  本発明は、足置き板に前後移動板を装着させた、足のむくみ改善機能付き足置き台に関するものである。
【背景技術】
【０００２】  従来、両足を揃え、つま先を上げて使用する足置き台があった。
【発明の開示】
【発明が解決しようとする課題】
【０００３】  そのために、次のような欠点があった。
（イ）常に両足を揃えて使用するため、左右の足を自由な位置に置いて使用することができなかった。
（ロ）常につま先を上げて使用するため、脹脛に負担が掛かっていた。
本発明は、これらの問題点を解決するためになされたものである。
【課題を解決しようとする手段】
【０００４】  足置き板に板固定軸を４本設け、その足置き板に装着固定バンドを左右に設け、板固定軸の位置に合わせた高さ調整板と前後移動板を設け、前後移動板に滑り止めゴムを装着する。以上を特徴とする足のむくみ改善機能付き足置き台である。
【発明の効果】
【０００５】  本発明を使用することによって、椅子に座った状態の左右の足を自由な位置で使用できるほか、足首を前後に動かすことにより、つま先上がりの常態で脹脛の筋肉を緊張させ、脛の筋肉緊張開放し、また逆に踵上がりの常態で脹脛の筋肉緊張開放し、脛の筋肉を緊張させることにより、足の血流改善を促す効果があり、その効果によって足のむくみや肩こりの改善を促す効果がある。
【発明を実施するための最良の形態】
【０００６】以下、本発明の実施例について説明する。
（イ）足置き板（１）に前後左右等間隔に板固定軸（６）を４本設ける。
（ロ）足置き板（１）に装着固定バンド（４）を左右に設ける。
（ハ）板固定軸（６）の位置に合わせた、穴の空いた高さ調整板（２）を左右に設ける。
（ニ）板固定軸（６）の位置に合わせた、穴の空いた前後移動板（３）を左右に設ける。
（ホ）前後移動板（３）の下部に滑り止めゴム（５）を設ける。
本発明は以上のような構造で、これを使用する時は、図４に示すように椅子に腰掛け左右の足に装着し、足首を前後に動かし脛の筋肉や脹脛の筋肉運動を促す、これにより足の血流改善を促す効果があり、その効果によって足のむくみや肩こりの改善を促す効果があり、左右の足のつま先を上げた状態では、足置き台として使用できるほか、左右の足は独立しているため、使用者の自由な位置で使用できる。
なお図３に示すように、高さ調整板（２）を左右外して使用することにより、膝下の長さに対応できるが、本発明の効果は変わらない。
また図４に示すように、素足で使用するほか、靴やサンダルを履いた常態でも使用できるが、本発明の効果は変わらない。
【図面の簡単な説明】
【図１】  本発明の斜視図
【図２】  本発明の図１のＡ−Ａを示す断面図
【図３】  本発明の底面を示す斜視図
【図４】  本発明の実施例を示す斜視図
【符号の説明】
１  足置き板
２  高さ調整板
３  前後移動板
４  装着固定バンド
５  滑り止めゴム
６  板固定軸
【図１】
2006305251.tif 000003
【図２】
2006305251.tif 000004
【図３】
2006305251.tif 000005
【図４】
2006305251.tif 000006